(57)【特許請求の範囲】
【請求項１】
ディスクを再生する、またはディスクに記録を行うディスク装置であって、
光ピックアップと、
フォーカシングエラーを検出するフォーカシングエラー検出手段、前記フォーカシングエラー検出手段の出力に応答して、前記光ピックアップのフォーカシング制御を行うフォーカシング制御手段、トラッキングエラーを検出するトラッキングエラー検出手段、前記トラッキングエラー検出手段の出力に応答して、光ピックアップのトラッキング制御を行うトラッキング制御手段、および前記光ピックアップの出力に応答して、前記ディスクに記録されているデータまたはディスクに記録されるデータを処理するデータ処理手段の各特性を調整するために、前記各手段に備えられる調整手段と、
前記ディスク装置の動作状態を検出する検出手段と、
前記検出手段の検出結果に基づいて、複数の調整手段のうち少なくとも一部の調整手段を選択し調整を実行する調整制御手段とを備え、
前記検出手段によって、ディスク装置に装填されているディスクが、２つの記録層が形成されている２層ディスクであることが検出された場合、
調整制御手段は、前記ディスクの一の記録層に対する調整手段の調整を実行した後、他の記録層に対する調整手段の調整において、予め定める一部の調整手段に対して調整を実行することを特徴とするディスク装置。
【請求項２】
前記検出手段は、さらにディスクの交換、前記ディスク装置内の温度、前記特性の調整後のディスクの再生または記録への移行状態、前記ディスク装置の電源変化の少なくとも１つを検出することを特徴とする請求項１に記載のディスク装置。
【発明の詳細な説明】
【０００１】
【発明の属する技術分野】
本発明は、光ディスクおよび光磁気ディスクの再生または記録のいずれか少なくとも一方を行うためのディスク装置に関する。
【０００２】
【従来の技術】
従来から、コンパクトディスク（ＣＤ）およびデジタルバーサタイルディスク（ＤＶＤ）などのディスクを着脱交換可能にして再生するディスク再生装置において、ディスクの再生動作に先立ち、先ず、その装填されたディスクに最適なフォーカスサーボおよびトラッキングサーボなどの動作状態が設定されるように、電気的特性を変化調整するための複数の予め定める調整部分、たとえば可変ゲインの増幅器の自動調整動作が行われる。この先行技術では、複数の全ての調整部分の自動調整動作を行っている。したがってその調整動作のために長い時間を必要とする。これによってユーザの待ち時間が長くなり、使い勝手が悪くなる。
【０００３】
【発明が解決しようとする課題】
本発明の目的は、ディスクの再生または記録を行うに先立ち、自動調整動作を迅速に短時間で行うことができるようにしたディスク装置を提供することである。
【０００５】
【課題を解決するための手段】
本発明は、ディスクを再生する、またはディスクに記録を行うディスク装置であって、
光ピックアップと、
フォーカシングエラーを検出するフォーカシングエラー検出手段、前記フォーカシングエラー検出手段の出力に応答して、前記光ピックアップのフォーカシング制御を行うフォーカシング制御手段、トラッキングエラーを検出するトラッキングエラー検出手段、前記トラッキングエラー検出手段の出力に応答して、光ピックアップのトラッキング制御を行うトラッキング制御手段、および前記光ピックアップの出力に応答して、前記ディスクに記録されているデータまたはディスクに記録されるデータを処理するデータ処理手段の各特性を調整するために、前記各手段に備えられる調整手段と、
前記ディスク装置の動作状態を検出する検出手段と、
前記検出手段の検出結果に基づいて、複数の調整手段のうち少なくとも一部の調整手段を選択し調整を実行する調整制御手段とを備え、
前記検出手段によって、ディスク装置に装填されているディスクが、２つの記録層が形成されている２層ディスクであることが検出された場合、
調整制御手段は、前記ディスクの一の記録層に対する調整手段の調整を実行した後、他の記録層に対する調整手段の調整において、予め定める一部の調整手段に対して調整を実行することを特徴とするディスク装置である。
【０００６】
本発明に従えば、デジタルバーサタイルディスク（ＤＶＤ）などの多層ディスクは、そのディスクの厚み方向片側に２層の記録層が形成され、検出手段は、一の記録層から他の記録層に、再生されるように光ピックアップのたとえば対物レンズなどの変位がフォーカシング制御によって行われたことを検出する。これにより、ディスク装置に装填されているディスクが、２層ディスクであることが検出される。調整制御手段は、一の記録層に対する光ピックアップによるフォーカシングサーボ系の合焦状態が達成されて、先ず、全ての調整手段を選択し、選択した調整手段の調整を実行する。その後、他の記録層の調整動作時には、複数の調整手段のうち予め定める一部の調整手段を選択し、選択した調整手段の調整を実行する。すなわち、調整制御手段は、前記他の記録層の調整動作時に、記録層が異なる場合に特性の変化がない調整手段に対しては、調整動作を実行せず、記録層が異なる場合に特性が変化する予め定める一部の調整手段に対しては、調整動作を実行する。したがって、前記他の記録層に対する調整動作の時間を短縮することができる。
【０００９】
本発明に従えば、複数の調整手段は、フォーカシングエラー検出手段、フォーカシング制御手段、トラッキングエラー検出手段、トラッキング制御手段、ディスクに記録されているデータまたはディスクに記録されるデータを処理するデータ処理手段の少なくとも２つを含む。調整制御手段は、複数の調整手段に含まれるフォーカシングエラー検出手段、フォーカシング制御手段、トラッキングエラー検出手段、トラッキング制御手段、データ処理手段の少なくとも一部を選択し、選択した部分に、ディスクの再生特性または記録特性を調整させる。こうして調整すべき調整手段を選択するようにしたので、ディスクの再生または記録に先立って調整する時間を短縮することができる。
【００１３】
また本発明は、前記検出手段は、さらにディスクの交換、前記ディスク装置内の温度、前記特性の調整後のディスクの再生または記録への移行状態、前記ディスク装置の電源変化の少なくとも１つを検出することを特徴とする。
【００１４】
本発明に従えば、検出手段は、ディスクの交換、調整手段が設置される装置内の温度、ディスクの再生特性または記録特性の調整後にディスクの再生または記録への移行状態、調整手段が設置される装置の電源変化の少なくとも１つを検出する。検出手段が、交換可能なディスクの交換を検出するとき、そのディスクの調整動作が行われて、たとえば再生が一旦行われ、その後、そのディスクがディスク装置に排出されて抜取られたか、または抜取られないままであるかを検出し、ディスクが抜取られず、したがって交換されていないときには、同一のディスクが装填されたままであるので、たとえば複数の調整手段の一部が選択され、選択された部分によってディスクの再生特性または記録特性が調整される。ディスクが抜取られて、前回と同一のディスクまたは異なるディスクが装填された後には、たとえば全ての調整手段が選択され、選択された調整手段によって前記特性が調整される。こうしてディスクが抜取られないときには、上述のように調整手段の一部が選択され、選択された部分によって前記特性が調整されるので、全ての調整手段が選択されて前記特性が調整される場合よりも、調整動作の時間の短縮を図ることができる。
【００１５】
検出手段によって、調整手段が設置される装置内の周囲温度が検出され、この検出された周囲温度が、大きく変化したことが検出されたとき、調整制御手段は、ディスクの再生または記録に先立ち、たとえば全ての調整手段を選択して調整する。このように温度変化が大きいとき、光ピックアップおよび電気回路の電気的特性などが前記周囲温度に依存して大きく変化しているおそれがあり、したがって再生および記録を確実に達成するために、このような温度変化の大きいとき、全ての調整手段を選択し、選択した調整手段に、ディスクの再生特性または記録特性を調整させ、温度変化が小さいときには、たとえば複数の調整手段の一部を選択し、選択した部分に前記特性を調整させる。これによってもまた、温度変化が小さいときに上述のように調整手段の一部が選択され、選択された部分によって前記特性が調整されるので、全ての調整手段が選択されて前記特性が調整される場合に比べて、調整動作の時間の短縮を図ることができる。
【００１６】
ディスクの再生特性または記録特性の調整後に、ディスクの再生または記録の動作を行おうとするとき、その再生または記録動作に移行できないことが検出手段によって検出されたとき、調整制御手段は、たとえば全ての調整手段を選択し、選択した調整手段に前記特性を調整させる。調整制御手段が、たとえば複数の調整手段の一部を選択し、選択した部分に前記特性の調整をさせ、その後、ディスクの再生または記録動作を行おうとするとき、その再生または記録動作への移行不能が検出された後には、調整をしなかった調整手段にも、前記特性を調整させる。こうして最適な調整結果が得られる。これによってディスクの再生または記録動作に移行することが確実になる。
【００１７】
ディスクの再生または記録動作に移行できなかったときというのは、たとえばディスクの出力データが、データ処理手段によって正しく読出すことができないとき、フォーカスサーボ系によるフォーカスサーチ動作が、再生移行中に、サーボ外れが生じてしまうとき、または再生に失敗して、繰返しリトライしても調整が完了せず、そのようなリトライ動作が予め定める時間以上長くかかるとき、またはリトライ回数が予め定める値以上になるときなどが挙げられる。再生動作の完了は、ディスクのリードイン領域におけるＴＯＣ（Table of Contents）情報の読取りが実現されたときである。
【００１８】
検出手段は、調整手段が設置される装置の電源変化、たとえば電源投入が行われたかどうかを検出し、電源遮断直前に、ディスクが抜取られておらず、ディスクの交換が行われていないことが検出されていれば、その電源投入後には、たとえば複数の調整手段の一部が選択され、選択された部分によってディスクの再生特性または記録特性が調整される。これによって電源投入後の調整時間を短縮することができる。電源遮断直前に、ディスクが抜取られていることが検出手段によって検出されていれば、その後、電源投入が検出手段によって検出されたとき、たとえば全ての調整手段が選択されて前記特性が調整される。
【００２２】
【発明の実施の形態】
図１は、本発明の実施の一形態のディスク再生装置の全体の構成を簡略化して示すブロック図である。コンパクトディスク（ＣＤ）またはデジタルバーサタイルディスク（ＤＶＤ）であるディスクに記録されている情報は、光ピックアップ２によって読取られる。光ピックアップ２内の受光素子３は、読取手段である４つの受光部分Ａ〜Ｄに分割されており、各受光部分Ａ〜Ｄの出力信号は、それぞれ増幅器４〜７に与えられる。増幅器４，６からの出力信号ａ，ｃは、加算器８に与えられて加算され、出力信号（ａ＋ｃ）として導出される。同様に増幅器５，７の出力信号ｂ，ｄは、加算器９に与えられて加算され、出力信号（ｂ＋ｄ）として導出される。
【００２３】
加算器８，９からの出力信号（ａ＋ｃ），（ｂ＋ｄ）は、加算器１０に与えられて出力信号（ａ＋ｂ＋ｃ＋ｄ）として、ゲインが可変である増幅器１６に与えられ、等化器１７から、マイクロコンピュータなどによって実現されるデータ処理回路１８に入力される。これによってライン１１からは、ディスク１に出力されているデジタル信号が復号化され、音響信号などのアナログ信号として導出される。増幅器１６、等化器１７およびデータ処理回路１８は、データ処理手段を構成し、増幅器１６は、調整手段として機能する。
【００２４】
増幅器４〜７からの出力信号ａ〜ｄはまた、フォーカシングエラー検出手段に相当するフォーカシングエラー検出回路２０に与えられる。増幅器５，６の出力信号ｂ，ｃは加算器２１に与えられ、増幅器４，７の出力信号ａ，ｄは加算器２２に与えられる。加算器２１，２２からの出力信号は、ゲインがそれぞれ可変である増幅器２３，２４に与えられる。これらの増幅器２３，２４の出力は、減算器２５に与えられる。増幅器２３，２４は、調整手段として機能する。
【００２５】
減算器２５からの出力信号は光ピックアップ２の合焦点からのずれ量に対応した値であり、この出力信号はゲインが可変である増幅器２６を介して、等化器２９に与えられる。この等化器２９の出力は、駆動回路２７に与えられる。これによってアクチュエータコイル２８が駆動されて、光ピックアップ２内の対物レンズがディスク１の記録面に対して垂直方向に移動され、光ピックアップ２が合焦状態とされ、こうしてフォーカシングサーボが実現される。
【００２６】
加算器８，９の出力信号（ａ＋ｃ），（ｂ＋ｄ）はまた、トラッキングエラー検出手段に相当するトラッキングエラー検出回路３０のゲインが可変である増幅器３２，３３に与えられる。これらの増幅器３２，３３の出力は減算器３４に与えられる。増幅器３２，３３は、調整手段として機能する。
【００２７】
減算器３４の出力は、ゲインが可変である増幅器３５に与えられ、さらに等化器３６に与えられる。増幅器３５の出力によって、信号（ａ＋ｃ），（ｂ＋ｄ）の相対的な位相を有する出力が与えられ、この位相差が、等化器３６に与えられ、この位相差は、トラッキングエラーに対応している。等化器３６の出力は駆動回路４２に与えられる。これによってアクチュエータコイル４３が駆動されて、光ピックアップ２がディスク１とは平行に、かつ後述するトラック７０とは垂直な方向に変位され、こうしてトラッキングサーボが実現される。サーボ制御回路３１において、増幅器２６および等化器２９は、フォーカシング制御手段を構成し、増幅器３５および等化器３６は、トラッキング制御手段を構成する。増幅器２６，３５は、調整手段として機能する。
【００２８】
サーボ制御回路３１は、マイクロコンピュータなどによって実現される処理回路１２を備え、これによって増幅器２６，３５のサーボ制御が行われるとともに、等化器２９，３６の制御が行われる。ディスク１のトラック７０が、矢符７１方向に走行すると、この走行方向７１上流側に配置された受光部分Ａ，Ｄによって、先ずトラック７０の反射光が検出される。このときトラック７０が受光部分Ｃ，Ｄ側にずれていると、反射率の低いピット７２が受光部分Ａ，Ｄにさしかかったとき、受光部分Ｄの受光量よりも受光部分Ａの受光量の方が大きく、またピット７２が受光部分Ａ，Ｄを通過して受光部分Ｂ，Ｃにさしかかったときには、受光部分Ｃの受光量よりも受光部分Ｂの受光量が大きくなる。このようなトラック７０のずれ量に対応して、光ピックアップ２のトラッキングサーボ動作を行うことができる。こうしてフォーカシングサーボが実現された後、トラッキングサーボが実現され、ディスク１のデータの再生が行われる。
【００２９】
光ピックアップ２は、駆動手段１５によってディスク１の半径方向に往復移動される。ディスク１は、その軸線まわりに回転駆動手段１３によって回転駆動される。ディスク１が本件ディスク再生装置の挿排口に装着されているかどうかは、挿排検出手段３７によって検出される。挿排検出手段３７は、検出手段として機能する。
【００３０】
マイクロコンピュータなどによって実現される処理回路５３は、増幅器４〜７の出力に応答し、フォーカシングエラー検出回路２０およびトラッキングエラー検出回路３０にそれぞれ備えられている増幅器２３，２４；３２，３３のゲインをディスク１の種類に対応するなどして、個別的に変化調整するとともに、サーボ制御回路３１に備えられているフォーカシングサーボ系の増幅器２６およびトラッキングサーボ系の増幅器３５のゲインをそれぞれ変化して調整することができる。このサーボ制御回路３１に備えられている処理回路１２は、処理回路５３および各回路２０，３０の出力に応答し、増幅器２３，２４のゲインのバランスを制御するとともに、増幅器３２，３３のゲインのバランスを制御する。処理回路１２および処理回路５３は、調整制御手段を構成する。また、処理回路５３は、検出手段として機能する。
【００３１】
処理回路５３には、メモリ手段５５が備えられる。メモリ手段５５は、個別的なメモリＭ１〜Ｍ３を備える。温度検出素子５７は、本件ディスク再生装置の周囲温度を検出し、その検出温度Ｔを表す信号を、処理回路５３に与える。温度検出素子５７は、たとえばディスク再生装置のハウジング内に設けられ、各種の調整部分付近の温度を検出する。温度検出素子５７は、検出手段として機能する。
【００３２】
図２は、処理回路５３の動作を説明するためのフローチャートである。この図２におけるステップｒ２，ｒ３は、ＣＤまたはＤＶＤであるディスク１の再生のための図１に示されるディスク再生装置の動作状態を検出する動作５７を示す。ステップｒ５〜ｒ８は、ディスク１がＤＶＤの２層ディスクであるときにおける動作状態の検出を行う動作５８を示す。２層ディスクに代えて、さらに多数層の記録層が厚み方向片側に形成されたディスク１が用いられてもよい。
【００３３】
図２のステップｒ１からステップｒ２に移り、交換可能なディスク１の交換を検出する動作６１、温度検出素子５７による検出温度Ｔが予め定める範囲ｉ，ｉｉ，ｉｉｉの相互間に変化したことを検出する動作６２、自動調整後であるにもかかわらず、ディスク１の再生に移行できなかった起動失敗を検出する動作６３およびディスク再生装置の電源投入を検出する動作６４を含む。ディスク交換の検出動作６１において、挿排検出手段３７は、挿排口にディスク１が存在するかどうかの検出を行い、ディスク１が挿排口から取出され、その後、同一または他のディスクが挿入されてディスクの交換が行われたかどうかを検出する。ディスク１が交換されたとき、ステップｒ３では全部調整モードが選択される。ディスク１が交換されないとき、一部調整モードが選択される。
【００３４】
温度変化検出動作６２では、温度検出素子５７の検出温度Ｔに対応して、検出温度Ｔの範囲ｉ，ｉｉ，ｉｉｉを、表１のように定めて、メモリＭ１にストアされる。
【００３５】
【表１】
0004260340.tif 000002
【００３６】
検出温度Ｔの範囲ｉ，ｉｉ，ｉｉｉは、予め定める温度０℃および５０℃で変化される。各範囲ｉ，ｉｉ，ｉｉｉの相互間の検出温度Ｔの変化が生じたとき、ステップｒ３では、全部調整モードが選択される。実施の他の形態では、検出温度Ｔが、たとえば範囲ｉｉ内に存在するとき、ステップｒ３では、一部調整モードを選択し、また範囲ｉ，ｉｉｉに存在するとき、ステップｒ３では全部調整モードを選択する。
【００３７】
起動失敗の動作６３では、調整部分である増幅器２３，２４；２６；３２，３３；３５；１６の調整後に、ディスク１の再生動作に移行できたかどうかが判断され、再生動作に移行できず、起動失敗が生じたとき、ステップｒ３では、全部調整モードが選択される。前記調整部分の調整後に、ディスク１の再生動作に移行することができたとき、すなわち起動失敗が生じないとき、ステップｒ３では、一部調整モードが選択される。
【００３８】
電源投入検出動作６４では、ディスク再生装置の電源投入が行われたかどうかが検出されるとともに、電源遮断直前に、挿排検出手段３７によってディスク１の交換が検出されたかどうかが判断される。メモリＭ２には、再生されるディスク１を識別するための信号がストアされており、再生動作時、再生中のディスク１の識別信号を検出して、メモリＭ２にストアしておく、したがって電源遮断が生じたとき、メモリＭ２では、電源遮断直前におけるディスク１を識別することができる。これによって電源投入時、ディスク１を再生して識別信号を検出し、メモリＭ２にストアされている電源遮断直前のディスク１の識別番号と比較し、こうして２つの比較される識別信号が異なっていれば、ディスク１が、電源遮断直前とは異なってディスクに変更されて交換されたことを検出することができる。電源投入時、電源遮断直前にディスク１が交換されていなければ、一部調整モードがステップｒ３において選択され、ディスク１が交換されていれば、ステップｒ３では全部調整モードが選択される。メモリ手段５５のストア内容は、電源遮断中にも、保持される。
【００３９】
ディスク１がＤＶＤの２層ディスクであって、ステップｒ５において、そのディスク１の第１記録層が、一部調整モードで自動調整動作される。ステップｒ６では、そのディスク１が、２層ディスクであるかどうかが判断され、２層ディスクでなければ、ステップｒ１０に移り、一連の動作を終了する。ディスク１が２層ディスクであることがステップｒ６で判断されると、次のステップｒ７では、第２記録層のフォーカスサーボ動作が行われ、第１記録層から第２記録層へのフォーカス制御のレイヤジャンプが行われる。ステップｒ８では、第２記録層のフォーカス制御が成功して合焦状態が達成されたかどうかが判断され、合焦状態が達成されていれば、ステップｒ９において、第２記録層の一部調整モードによる自動調整動作が行われる。第２記録層の合焦状態が達成されず、エラーが生じたことがステップｒ８で判断されると、ステップｒ４において、第２記録層に関する全部調整モードによる自動調整動作が行われる。
【００４０】
自動調整動作によって得られる前記調整部分の調整結果の値は、メモリＭ３にストアされる。こうしてディスク１の再生動作の前に、自動調整動作を行って、その調整結果の値を、各調整部分毎に、さらには２層ディスクでは、各記録層に関して、調整部分毎に、調整結果の値をストアしておく。したがってディスク１のその後の再生動作時には、メモリＭ３にストアされている調整結果の値を読出して各調整部分を最適に調整することが容易に可能になる。したがってメモリＭ３に調整結果の値をストアした後には、その調整結果の値を読出して調整動作を容易に行うことができるようになる。
【００４１】
ステップｒ４における全部調整モードおよびステップｒ５，ｒ９の一部調整モードでは、表２の○印で示される調整部分の自動調整動作が実行される。
【００４２】
【表２】
0004260340.tif 000003
【００４３】
表２におけるフォーカシングバランスというのは、フォーカシングエラー検出回路２０における増幅器２３，２４のゲインのバランス調整を示す。フォーカシングサーボというのは、サーボ制御回路３１における増幅器２６のゲインの調整を示す。トラッキングバランスというのは、トラッキングエラー検出回路３０における増幅器３２，３３のゲインを調整する動作を示す。トラッキングサーボは、サーボ制御回路３１における増幅器３５のゲインを調整する動作を示す。データ処理というのは、増幅器１６のゲインを調整する動作を示す。全部調整モードでは、これらの全ての増幅器２３，２４；２６；３２，３３；３５；１６のゲインが、表２の○印で示されるように、自動調整動作される。一部調整モードでは、増幅器２３，２４；２６；３２，３３；３５のみのゲインの自動調整動作が行われ、増幅器１６のゲインの自動調整動作は行われない。
【００４４】
図３は、図２のディスク交換検出動作６１の処理回路５３による具体的な動作を説明するためのフローチャートである。ステップｓ１からステップｓ２に移り、挿排検出手段３７の出力に応答し、ディスク１が前述のように挿排口から一旦取出された後、同一または他のディスク１が挿入されて交換されたかどうかが判断される。ディスク１が交換されていれば、ステップｓ３において全部調整モードが選択される。ステップｓ２においてディスク１の交換が行われず、ディスク１が挿排口から取出されないことが判断されると、ステップｓ４では、一部調整モードが選択される。
【００４５】
図４は、図２の温度変化検出動作６２の処理回路５３による具体的な動作を説明するためのフローチャートである。ステップｕ１からステップｕ２に移り、温度検出素子５７によって検出される温度Ｔの範囲が、前述の図１に示される温度範囲ｉ，ｉｉ，ｉｉｉへの相互間で変化したかどうかが判断される。温度範囲ｉ，ｉｉ，ｉｉｉが相互に変化してその温度の変化が大きいとき、ステップｕ２からステップｕ３に移り、全部調整モードが選択される。温度変化が小さく、範囲ｉ，ｉｉ，ｉｉｉ間の相互の変化が生じなければ、ステップｕ４において一部調整モードが選択される。
【００４６】
本発明の実施の他の形態では、前述の一部調整モードに代えて、自動調整動作を行わない無調整モードが達成されるように構成されてもよい。
【００４７】
ディスクの交換を検出する動作６１では、本発明の実施の他の形態では、各ディスク１の光ピップアップ素子２によるＴＯＣ（Table of contents）情報を読出し、そのＴＯＣ情報に基づいて、前回の自動調整時のディスク１と同一であるかどうかを判断し、ディスク１が交換されたものと判断するようにしてもよい。
【００４８】
図５は、図２の起動失敗の検出動作６３の処理回路５３による具体的な動作を説明するためのフローチャートである。ステップｈ１からステップｈ２に移り、装填されたディスク１のフォーカスサーチ動作が行われ、ステップｈ３において再生動作が成功していなければ、すなわちデータ処理回路１８によるディスク１のデータが読出されなければ、次のステップｈ４に移る。こうしてステップｈ４では、再生動作が成功しない回数を計数し、その計数値が予め定める所定回数以上になったかどうかが判断される。所定回数以上、再生動作を繰返し、それでも、再生動作が成功しなければ、ステップｈ５に移る。ステップｈ５では、処理回路５３は駆動回路１５を動作させて、光ピックアップ２を、原点検出手段３９によって検出されるまで半径方向内方の原点に戻る。その後、再びステップｈ２においてフォーカスサーチ動作を行い、原点位置におけるディスク１のリードイン領域にストアされたデータ、たとえばディスク１の種類を表す情報を読出し、その読出した種類に基づき、再生動作を行う。
【００４９】
本発明は、ディスク１の再生だけでなく、記録を行うことができる装置に関連してもまた実施することができる。光ピップアップ素子２には、対物レンズを駆動する駆動手段が備えられ、その駆動手段の特性を自動調整するために、本発明がさらに実施されてもよい。本発明は、ディスク再生／記録装置に関連して実施されるだけでなく、そのほか、自動調整機能を有する電気的装置に関連して広範囲に実施することができる。相互に接続される複数の電気的手段のうちには、電気的または機械的特性が変化調整されるべき複数の調整部分が設けられており、電気的装置の動作を検出する状態検出手段の検出された状態に対応して、複数の調整部分のうち、全ての調整部分の調整動作を行う全部調整モードおよび一部分の調整部分の調整動作を行う一部調整モード、さらにそれらの全ての調整部分の自動調整動作を行わない無調整動作モードが選択されるように構成される。このような構成もまた、本発明の精神に含まれる。
【００５０】
【発明の効果】
請求項１の本発明によれば、他の記録層に対する調整動作の時間を短縮することができる。これによってユーザの待ち時間を短縮し、使い勝手が向上される。
【００５２】
請求項２の本発明によれば、検出手段によってディスクの交換が検出され、ディスクが抜取られず、交換されていないときには、調整手段の一部が選択され、選択された部分によってディスクの再生特性または記録特性が調整されるので、全ての調整手段が選択されて前記特性が調整される場合よりも、調整動作の時間の短縮を図ることができる。
また調整手段が設置される装置内の周囲温度が検出手段によって検出され、この検出された周囲温度の変化が小さいときには、調整手段の一部が選択され、選択された部分によって前記特性が調整されるので、全ての調整手段が選択されて前記特性が調整される場合に比べて、調整動作の時間の短縮を図ることができる。
またディスクの再生特性または記録特性の調整後に、ディスクの再生または記録動作に移行できないことが検出手段によって検出されたとき、調整制御手段は、たとえば全ての調整手段を選択し、選択した調整手段に前記特性を調整させる。また調整制御手段が複数の調整手段の一部を選択し、選択した部分に前記特性の調整をさせ、その後、ディスクの再生または記録動作に移行できないことが検出手段によって検出されたときには、調整をしなかった調整手段にも、前記特性を調整させるので、最適な調整結果が得られ、ディスクの再生または記録動作に移行することが確実になる。
また調整手段が設置される装置の電源変化が検出手段によって検出されるとき、電源遮断直前に、ディスクが抜取られておらず、ディスクの交換が行われていないことが検出されていれば、その電源投入後には、たとえば複数の調整手段の一部が選択され、選択された部分によってディスクの再生特性または記録特性が調整されるので、電源投入後の調整時間を短縮することができる。
【図面の簡単な説明】
【図１】本発明の実施の一形態のディスク再生装置の全体の構成を簡略化して示すブロック図である。
【図２】処理回路５３の動作を説明するためのフローチャートである。
【図３】図２のディスク交換検出動作６１の処理回路５３による具体的な動作を説明するためのフローチャートである。
【図４】図２の温度変化検出動作６２の処理回路５３による具体的な動作を説明するためのフローチャートである。
【図５】図２の起動失敗の検出動作６３の処理回路５３による具体的な動作を説明するためのフローチャートである。
【符号の説明】
１  ディスク
２  光ピックアップ
３  受光素子
２０  フォーカシングエラー検出回路
２３，２４；２６；３２，３３；３５；１６  増幅器
３０  トラッキングエラー検出回路
３７  挿排検出手段
５３  処理回路
５５  メモリ手段
Ｍ１〜Ｍ３  メモリ
【図１】
0004260340.tif 000004
【図２】
0004260340.tif 000005
【図３】
0004260340.tif 000006
【図４】
0004260340.tif 000007
【図５】
0004260340.tif 000008